(57)【要約】      （修正有）【課題】複数の写真窓孔があいたマットフレーム台紙に、熟練した作業者でなくても複数の写真を配置した写真用紙を簡単にマットフレーム台紙の写真窓孔に合うように貼り付けることができる写真用台紙を提供する。【解決手段】台紙に写真を露出させるための写真窓孔２６をあけたマットフレーム台紙２０において、そのマットフレーム台紙２０の表面部の裏側に写真用紙７０が収まる凹みを写真窓孔２６周りに形成したことを特徴とするマットフレーム台紙である。【選択図】図４
0003148805.tif 000002
【実用新案登録請求の範囲】
【請求項１】
台紙に写真を露出させるための写真窓孔をあけたマットフレーム台紙において、そのマットフレーム台紙の表面部の裏側に写真用紙が収まる凹みを該写真窓孔周りに形成したことを特徴とするマットフレーム台紙。
【請求項２】
台紙に写真を露出させるための写真窓孔をあけたマットフレーム台紙において、前記凹みはマットフレーム台紙の表面部の裏側に貼り付けた枠部台紙における写真枠部と縁部によって構成されたことを特徴とする請求項１記載のマットフレーム台紙。
【請求項３】
台紙に写真を露出させるための写真窓孔をあけたマットフレーム台紙において、前記凹みはＬ判サイズあるいは２Ｌ判サイズの大きさに構成されたことを特徴とする請求項１または２記載のマットフレーム台紙。
【請求項４】
台紙の表面部と写真枠部の間に中間体設けたことを特徴とする請求項２及び３に記載するマットフレーム台紙。
【請求項５】
写真が浮かないための接着部材をマットフレーム台紙の裏側に施したことを特徴とする請求項１ないし４記載のマットフレーム台紙。
【請求項６】
裏台紙やアルバムに貼付・固定するための接着部材をマットフレーム台紙に施したことを特徴とする請求項１ないし５記載のマットフレーム台紙。
【考案の詳細な説明】
【技術分野】
【０００１】
本考案は、写真を保存及び観賞用に用いられる写真用台紙に関するものである。
【背景技術】
【０００２】
アルバムの台紙を使用者の希望に応じて増やすことのできるフリー台紙といわれるものは、粘着性を有する台紙と薄い透明シートで写真全体を挟みその写真全体を保持保存する構成であった。一方でカメラ店あるいはＤＰＥ店等の写真を現像する店で顧客に対してサービスとして配布するポケットアルバムは、文字通りアルバムのポケット部分に写真を入れることにより当該写真を保持保存していた。しかし、このようなアルバムは写真全体を観賞できるものであるが美観に欠けるとともに、その写真の所有者にとって冠婚葬祭など人生に節目となる重要な出来事を撮影した写真を保存しまた観賞用に使用したとしても美観を生じさせるものではなく面白みに欠けるものとなっていた。
【０００３】
そのような場合に、アルバムあるいはフォトスタンド等に貼り付ける１つ以上の写真窓孔を有する写真用台紙である、例えばマットフレーム台紙なる写真用台紙において、その写真窓孔から写真が見えるようにその写真窓孔の枠に沿ってその台紙の裏から写真を貼り付けるという構成であった。このマットフレーム台紙なる写真用台紙は大変見栄えがよく、前記冠婚葬祭等の写真等の保存及び観賞にも使用することができる高級感あふれるものであった。しかしながら、そのマットフレーム台紙に写真を貼り付ける製作工程においては、手作業で、写真一枚一枚をマットフレーム台紙に貼り付けていたので、写真窓孔と写真を、ずれることなく貼りつけすることは困難であった。
【０００４】
一方で近年、写真業界のデジタル化の普及度は高く、パソコンおよび、デジタルカメラが一般に浸透するにしたがって、デジタルカメラで撮った写真を、様々な形状に加工することができるようになっていた。また、写真専用の用紙を使用すれば家庭用のカラープリンターといえども従来の銀塩写真に匹敵するほどの画質の写真を印刷できるようになっていた。このような状況の下では、従来の銀塩写真のように、マットフレーム台紙に写真を貼り付けていても１枚あるいは、多くても２枚の写真を貼り付けるだけであったが、上記の写真業界等のデジタル化によって２枚以上の複数の写真を一枚の写真用紙に配置して出力するということが容易に行われるようになっていった。
【０００５】
ここで、上記のように、写真業界等のデジタル化によって２枚以上の複数の写真を一枚の写真用紙に配置して出力するということが行われるようになったので、このようにして出力した写真を、写真窓孔を有するマットフレーム台紙に貼り付ける際に、あらかじめその写真用紙における写真を配置した位置に、マットフレーム台紙における写真窓孔をあけることにより前記写真を配置した写真用紙における写真の位置と、マットフレーム台紙の写真窓孔の位置を一致させていた。従って、マットフレーム台紙における写真窓孔の形状を、星型やハート型などといった複雑な形状の写真窓孔であっても、写真用紙における写真の配置した位置とマットフレーム台紙の写真窓孔の位置関係とは上記デジタル化のおかげもあり一致させることができた。
【０００６】
しかしながら、デジタル機器等で出力した複数の写真を印刷等した写真用紙を、写真窓孔を有するマットフレーム台紙に貼る工程は自動化することができず、従来通り手作業で貼りつける必要がある。この手作業により、写真用紙とマットフレーム台紙をずれることなく貼りつけることができれば、写真用紙における複数の写真の配置した位置とマットフレーム台紙における写真窓孔の位置は一致しているので、写真窓孔に写真が一致し、フォトスタンドあるいはアルバム等が完成することになる。しかしながら、マットフレーム台紙における写真窓孔の位置に合わせて写真用紙を貼る工程においては、作業者の熟練度が要求されていたので、少しでも写真用紙の貼り付けがずれると、見苦しいものとなりマットフレーム台紙の本来有している高級感が台無しとなってしまうことがあった。特に上記のような星型あるいはハート型などの写真窓孔形状のマットフレーム台紙においても同様である。一方でマットフレーム台紙のサイズと、複数の写真を配置した写真用紙のサイズが同一であればそれらの外枠部分を合わせれば、手作業で貼り付けてもずれにくいものであるが、マットフレーム台紙のサイズが写真用紙のサイズと異なる場合があり、特に、写真用紙のサイズがマットフレーム台紙のサイズよりも小さい場合は貼り付ける基準がなくうまく貼り合わせることが困難であった。また、マットフレーム台紙における写真窓孔の位置に合わせて写真用紙を貼るとしても貼り付けた写真用紙の大きさとマットフレーム台紙の大きさが合わないため、マットフレーム台紙における写真用紙を貼り付けた部分と貼り付けていない部分とで段差が生じ写真用紙を貼り付けたマットフレーム台紙を複数積み重ねた場合に傾いたり隙間が生じる場合がある。また、特に写真用紙の貼り合わせがずれると前記傾きが生じやすくなる。この場合において、ページ数が多いアルバムとなると傾きが大きくなり美観を損ねることになる。
【考案の開示】
【考案が解決しようとする課題】
【０００７】
本考案は、上記問題点を解決するために、複数の写真窓孔があいたマットフレーム台紙に、熟練した作業者でなくても複数の写真を配置した写真用紙を簡単にマットフレーム台紙の写真窓孔に合うように貼り付けることができることを課題とする。本考案は、写真用紙を貼り付けたマットフレーム台紙を複数重ねた場合であっても傾いたり隙間が生じないことを課題とする。本考案は、マットフレーム台紙の製造コストを抑えることを目的とする。本考案は、前記貼り付けを容易にできることを課題とする。本課題はマットフレーム台紙と裏台紙やアルバムとの貼り付けを容易にできることを課題とする。
【課題を解決するための手段】
【０００８】
上記課題を解決するために、本考案は、台紙に写真を露出させるための写真窓孔をあけたマットフレーム台紙において、そのマットフレーム台紙の表面部の裏側に写真用紙が収まる凹みを該写真窓孔周りに形成したことを特徴とするマットフレーム台紙である。
【０００９】
上記課題を解決するために、本考案は、台紙に写真を露出させるための写真窓孔をあけたマットフレーム台紙において、前記凹みはマットフレーム台紙の表面部の裏側に貼り付けた枠部台紙における写真枠部と縁部によって構成されたことを特徴とするマットフレーム台紙である。
【００１０】
上記課題を解決するために、本考案は、台紙に写真を露出させるための写真窓孔をあけたマットフレーム台紙において、前記凹みはマットフレーム台紙の表面部の裏側に貼り付けた枠部台紙における写真枠部と縁部によってＬ判サイズあるいは２Ｌ判サイズの大きさに構成されたことを特徴とするマットフレーム台紙である。
【００１１】
上記課題を解決するために、本考案は、台紙の表面部と写真枠部の間に中間体設けたことを特徴とする上記マットフレーム台紙である。
【００１２】
上記課題を解決するために、本考案は、写真が浮かないための接着部材をマットフレーム台紙の裏側に施したことを特徴とする上記記載のマットフレーム台紙である。
【００１３】
上記課題を解決するために、本考案は、裏台紙やアルバムに貼付・固定するための接着部材をマットフレーム台紙に施したことを特徴とする上記マットフレーム台紙である。
【考案の効果】
【００１４】
上述のように、本考案は、台紙に写真を露出させるための写真窓孔をあけたマットフレーム台紙において、そのマットフレーム台紙の表面部の裏側に写真用紙が収まる凹みを当該写真窓孔周りに形成したものであるので、その凹みと同一の形状、大きさの写真用紙を落とし込むだけで誰でも簡単にマットフレーム台紙の写真窓孔の位置と写真用紙における写真の位置が一致し、マットフレーム台紙の写真窓孔と写真をずれることなく貼り付けることができるものであるので、マットフレーム台紙が本来有している高級感を損なうことがないものである。また、写真用紙を、マットフレーム台紙の表面部の裏側であって、写真窓孔周りに形成した凹みに落とし込むので、写真用紙の厚さがその凹みに吸収され、マットフレーム台紙の表面部の裏側と写真用紙の裏側が面一となり、写真用紙を落とし込んだマットフレーム台紙を複数重ねたとしても傾いたり隙間が生ずる恐れがないものである。また本考案は、上記効果のほか、写真用紙と同一の形状、大きさの孔をあけた写真枠部を枠部台紙に設け、当該枠部台紙をマットフレーム台紙の表面部の裏面に貼り付けることにより凹みを構成し、この凹みに写真用紙を落とし込むことで、当該写真用紙を固定することができる。この枠部台紙の孔はいわゆるびく抜きすることもできるので、マットフレーム台紙の表面部の裏側を半抜きする必要がなく部品点数が増えるものの加工時間が減少し全体として、製造コストが減少するという効果をもたらすものである。また、上記の効果の他、本考案は、マットフレーム台紙に貼り付ける写真用紙は、Ｌ判あるいは２Ｌ判等の規格サイズなので、需要が多く量産効果が期待でき、それゆえ製造コストが低減される。また、写真が浮かないための接着部材をマットフレーム台紙の表面部の裏側あるいは中間体の裏側に施しているので、マットフレーム台紙をアルバムに貼り付ける際に写真用紙が外れることないので作業効率が高まるものである。また、またさらに、写真を貼付したマットフレーム台紙を裏台紙あるいはアルバムに貼付・固定する際の接着部材を有しているので前記裏台紙等に貼付する際にも簡単に貼付することができ、アルバム等の製造業者のみならず、一般需要者にとっても簡単に貼ることができる。また、一度固定した写真用紙を長期間に渡って保存し、観賞することができる。それ故、その写真の保有者にとって特に重要な冠婚葬祭などの写真の保存、観賞に適しているものである。
【考案を実施するための最良の形態】
【００１５】
以下に本考案の好ましい実施例を図面に従って詳細に説明する。図１はＬ版用マットフレーム台紙の正面図。図２はＬ版用マットフレーム台紙の背面図。図３は図１のＡ−Ａ線断面図。図４はＬ版用マットフレーム台紙の背面状態図。図５は２Ｌ版用マットフレーム台紙の正面図。図６は２Ｌ版用マットフレーム台紙の背面図。図７は図５のＢ−Ｂ線断面図。図８は２Ｌ版用マットフレーム台紙の背面状態図。図９はフォトスタンドにマットフレーム台紙を貼付した図。
【００１６】
Ｌ版サイズ用マットフレーム台紙２０は、外形は正面視ほぼ正方形状で、シート状のもので構成されている。もっともこの形状は正方形に限られない。本実施例のＬ版サイズ用マットフレーム台紙２０は、Ｌ版写真用紙７０を以下に述べるように枠部台紙２３における写真枠部３０に嵌め合わせたのちにアルバム１０に貼り合わせるので、アルバム１０に貼り付けられる大きさ及び形状にすることが好ましい。本実施例においては、Ｌ版用写真窓孔２６、２７は、図示上下方向に重ねられ、Ｌ版用写真窓孔２６は図示右に、Ｌ版用写真窓孔２７は、図示左へとそれぞれ左右方向にずらした構成である（図１参照）。しかしながら、Ｌ版用写真窓孔２６、２７は前記構成に限られない。Ｌ版サイズ用写真用紙内の任意の位置に写真を配置することができ、それに応じてＬ版用写真窓孔２６、２７の位置あるいは形状を変更することもできる。従って、例えば写真窓孔の位置と写真の配置した位置とが一致していれば、星型あるいはハート型などの複雑な形状であってもよい。また、Ｌ版用写真窓孔の数も２つ以上あってもよい。更に上記写真用紙はＬ判あるいは以下に述べるような２Ｌ版に限られず、六つ切りサイズあるいは八つ切りサイズなどの大きさでも可能である。その場合はマットフレーム台紙の大きさはそれよりも大であることが好ましい。本考案は、写真用紙の大きさよりもマットフレーム台紙の大きさが大きいゆえ写真用紙を当該マットフレームに貼り付ける際の写真用窓孔との位置ずれを解消するためのものだからである。またＫＧ版サイズなど写真用紙の規格の大きさであっても可能である。
【００１７】
写真窓孔を有するマットフレーム台紙２０の表面部２１の裏側を半抜き状にしてそのマットフレーム台紙の表面部の裏側に写真用紙が収まる凹みを当該写真窓孔周りに形成してもよい。すなわちマットフレーム台紙の表面部のみで凹みを構成するものである（図示せず）。また、この場合、型押し加工することで、凹みを形成することもできる。マットフレーム台紙をあまり厚く構成したくない場合に有効である。また、このマットフレーム台紙２０を、写真を嵌めこむ枠部台紙２３と表面部２１の２層で構成することもできる。尚、本実施例のように中間台紙２２を有することで、３層以上で構成しても好ましい。Ｌ版用写真窓孔２６における写真窓枠部３５は、表面部２１における写真開口部３３の開口面積が中間台紙２２の写真開口部３４の開口面積よりも連続して広くなる構成を有し、その断面が表面部２１に向かうにしたがい広がるように傾斜形成されており、言い換えればその断面はテーパー状を呈している。そのテーパー状の断面の色彩を表面部２１における写真開口部３３と中間台紙２２における写真開口部３４とで異なる色彩にすることにより、美観を良くする構成にしてもよく、このように写真窓枠部３５のテーパー状の断面部分において、中間台紙２２を表面部２１と枠部台紙２３の間に挿入することによって、断面部分である表面部２１と中間台紙２２と枠部台紙２３の色彩をそれぞれ異ならせることができ高級感を醸し出すことができる。またこの写真窓枠部３５のみを表面部２１の色彩と異ならせてもよい。写真窓枠部３５が浮かび上がるような外観となり高級感あふれるものとなる。また、写真窓枠部３５の断面形状がテーパー状でなく表面部２１に対して垂直である場合は、いわゆるびく抜き加工することができる（図示せず）。これによりコストを削減することができる。なお、Ｌ版用写真窓孔２７についても同様なので説明を省略する。ここでマットフレーム台紙２０の各部を厚紙で構成しているが、樹脂板に置き換えることも可能であり、これにより耐久性が向上する。
【００１８】
枠部台紙２３における写真枠部３０は、Ｌ版用写真用紙７０と同一の大きさである。従ってこの写真枠部３０が孔となる。また表面部２１と枠部台紙２３を貼り合わせた場合、あるいは表面部２１と中間台紙２２を貼り合わせたうえで枠部台紙２３を貼り合わせた場合において、写真枠部３０の孔がＬ版用写真窓孔２６の裏側であって、当該窓孔２６周りに形成される。また、この場合において、裏面視状態で縁部３１が露出する。この縁部３１と写真枠部３０で凹み３２が構成される。この凹み３２にＬ版写真用紙７０を落とし込むことができる。この縁部３１が露出するためには、Ｌ版用写真窓孔２６の開口部面積が写真枠部３０の開口部面積よりも小であることが好ましい。すなわち、Ｌ版用写真用紙７０を上記凹み３２に落とし込むことで、ずれることなく嵌めこむことができ、Ｌ版用写真窓孔２６と写真枠部３０の上下左右の寸法差、すなわち面積差によって、縁部３１が形成され、Ｌ版用写真を保持することができる。また、枠部台紙２３における写真枠部３０の上下左右の中心線とＬ版用写真窓孔２６の上下左右の中心線を一致させることで、Ｌ版用写真窓孔２６と、枠部台紙２３における写真枠部３０について、その上下方向及び左右方向の寸法差を、それぞれ上下方向または左右方向にほぼ等分に振り分けることができ、正面から写真を見るとＬ版用写真７０をトリミングしたような状態となる（図１参照）。尚、このトリミングする面積は、上記Ｌ版用写真窓孔２６の開口部面積と写真枠部３０の開口部面積を調整することによって任意に設定できることになる。
【００１９】
表面部２１あるいは中間台紙２２の裏面であって、写真枠部３０を、表面部２１あるいは中間台紙２２の裏側に貼り付けしたことにより露出した縁部３１に両面接着テープ等のＬ版用写真用紙７０を固定貼付する接着部材を設けることもできる（図示せず）。この露出した縁部３１は上記の通りＬ版用写真窓孔２６と写真枠部３０の上下左右の寸法差、すなわち面積差によって生じるものである。ここで、枠部台紙２３における写真枠部３０に、Ｌ版用写真用紙７０を落とし込みまたは嵌め合わせることで、該Ｌ版用写真用紙７０とマットフレーム台紙２０をずれることなく貼り合わせることができる。従って作業者に熟練度を要求されることなく、仮に一般需要者であってもＬ版用写真用紙７０とマットフレーム台紙２０をずれることなく貼り合わせることができる。Ｌ版用写真窓孔２７についても同様である。なお、Ｌ版用写真窓孔２６とＬ版用写真窓孔２７の境界部３６の裏側に接着部材３８を設けてもよい。境界部３６の裏側のみに接着部材３８を設けることにより、写真用紙７０をマットフレーム台紙にセットしてから、アルバム１０には貼着する際に写真用紙７０がマットフレーム台紙２０から外れる恐れがなく作業効率が高まるからである。また、写真を貼付したマットフレーム台紙２０を裏台紙（図示せず）あるいはアルバム１０に貼付・固定する際の接着部材２４を有しているので、前記裏台紙等に貼付する際にも簡単に貼付することができる。
【００２０】
上記のようにＬ版用写真用紙７０とマットフレーム台紙２０をずれることなく貼り合わせることができるのでそれをアルバムに貼付することができる。貼付には接着部材２４を設けることができるので容易に固定することができる。また、Ｌ版用写真用紙７０を写真枠部３０に落とし込んだ後に接着部材９０で固定することもできる。また、写真を貼付したマットフレーム台紙２０を裏台紙（図示せず）あるいはアルバム１０に貼付・固定する際の接着部材２４を有しているので前記裏台紙等に貼付する際にも簡単に貼付することができる。ここで、接着部材２４及び３８は両面接着テープを使用するものである。また、接着部材９０は接着テープを使用するものである。更に、上述のように写真用紙もＬ版の大きさに限られることはない。必要な大きさの写真用紙において、任意の位置あるいは大きさに写真を現像または印刷し、その写真用紙のサイズに応じたマットフレーム台紙において、その写真用紙における写真の数、位置及び大きさに応じてマットフレーム台紙に写真窓孔をあけ、マットフレーム台紙の裏側に凹みを穿ち、あるいは写真枠部を設けることでその写真用紙を保持することができる。
【００２１】
２Ｌ版サイズ用マットフレーム台紙４０においても、正面視ほぼ正方形状で、シート状のもので構成されている。もっともこの形状は正方形に限られない。本実施例の２Ｌ版サイズ用マットフレーム台紙４０は、以下に述べるように２Ｌ版写真用紙８０を枠部台紙４３における写真枠部５０に嵌め合わせたのちにアルバム１０に貼り合わせるのでアルバム１０の形状に合わせることが好ましい。本実施例においては、２Ｌ版用写真窓孔４６、４７、４８は、表面部４１及び中間台紙４２に設けられた横箋５６、５７によって図示上下方向において３分割された３段に重ねられる構成である（図５参照）。従って、これに対応するために、２Ｌ版写真用紙において、上下方向に３分割するように写真を配置し現像または印刷をする。しかしながら、２Ｌ版用写真窓孔４６、４７、４８もＬ版用写真窓孔２６、２７同様に本実施例の様に３か所に限られず、それ以上であってもよい。すなわち２Ｌ版用サイズの写真用紙８０の任意の数、位置及び大きさに窓孔をあけることができ、この窓孔の数、位置あるいは大きさに合わせて、写真を２Ｌ版用サイズの写真用紙に上記の数、位置及び大きさに写真を現像または印刷することによって、このマットフレーム台紙４０の写真用窓孔と写真が一致することになる。２Ｌ版サイズ用マットフレーム台紙４０においてもマットフレーム台紙２０と同様に厚紙を樹脂板に置き換えることも可能であり、これにより耐久性が向上するからである。
【００２２】
マットフレーム台紙４０の表面部４１の裏側を半抜き状にしてそのマットフレーム台紙の表面部の裏側に写真用紙が収まる凹みを写真窓孔周りに形成しても好ましい。すなわちマットフレーム台紙の表面部のみで凹みを構成するものである（図示せず。）マットフレーム台紙をあまり厚く構成したくない場合に有効である。また、このマットフレーム台紙４０を、写真用紙を嵌めこむ枠部台紙４３と表面部４１の２層で構成することもできる。尚、本実施例のように中間台紙４２を有することで、３層以上で構成してもよい。２Ｌ版用写真窓孔４６における写真窓枠部５５は、表面部４１における写真開口部５１の開口面積が中間台紙４２の写真開口部５２の開口面積よりも連続して広くなる構成を有し、その断面が表面部４１に向かうに従い広がるように傾斜形成されており言い換えればその断面はテーパー状を呈している。そのテーパー状の断面の色彩を表面部４１における写真開口部５１と中間台紙４２における写真開口部５２とで異なる色彩にすることにより、美観を良くする構成にしても好よい。このように写真窓枠部５５のテーパー状断面部分において、中間台紙４２を表面部４１と枠部台紙４３の間に挿入することによって、断面部分である表面部４１と中間台紙４２と枠部台紙４３の色彩をそれぞれ異ならせることができ高級感を醸し出すことができる。またこの写真窓枠部５５のみを表面部４１の色彩と異ならせることも可能である。写真窓枠部５５が浮かび上がるような外観となり高級感あふれるものとなる。また、写真窓枠部５５の断面形状がテーパー状でなく表面部４１に対して垂直である場合は、いわゆるびく抜き加工することができる（図示せず）。これによりコストを削減することができる。尚、２Ｌ版用写真窓孔４７、４８についても同様であるので説明を省略する。
【００２３】
本実施例によれば、枠部台紙４３における写真枠部５０は、２Ｌ版用写真用紙８０と同一の大きさである。従ってこの写真枠部５０が孔となる。また表面部４１と枠部台紙４３を貼り合わせた場合、あるいは表面部４１と中間台紙４２を貼り合わせたうえで枠部台紙４３を貼り合わせた場合において、裏面視状態で縁部５１が露出する。この縁部５１と写真枠部５０で凹み５２が構成される。すなわち、表面部４１の裏側であって、２Ｌ版用写真窓孔４６、４７、４８の周りに凹み５２が形成されている（図１参照）。この凹み５２に写真を印刷あるいは現像した２Ｌ版用写真用紙８０を落とし込むことによって、２Ｌ版用写真用紙８０において３分割され現像等された写真８１、８２、８３と、表面部４１及び中間台紙４２に設けられ、横箋５６、５７によって図示上下方向において３分割された２Ｌ版サイズ用マットフレーム台紙４０の写真用窓孔４６、４７、４８とを一致させることができる。尚、表面部４１と枠部台紙４３を貼り合わせた場合、あるいは表面部４１と中間台紙４２を貼り合わせたうえで枠部台紙４３を貼り合わせた場合において、裏面視状態で縁部５１が露出する。この縁部５１が露出するためには、２Ｌ版用写真窓孔４６、４７、４８の各開口部面積の和が写真枠部３０の開口部面積よりも小であることが好ましい。すなわち、２Ｌ版用写真窓孔４６、４７、４８の各開口部面積の和と写真枠部５０の上下左右の寸法差、すなわち面積差によって、縁部５１が形成され、この縁部５１と写真枠部５０で凹み５２が構成され、２Ｌ版用写真用紙８０を上記凹み５２に落とし込むことで、ずれることなく嵌めこむことができる。また本実施例によれば、枠部台紙４３における写真枠部５０の開口面積について、それらの上下方向及び左右方向の面積の差をそれぞれ上下方向または左右方向にほぼ等分に振り分けることによって正面から写真を見ると２Ｌ版用写真８０をトリミングした状態となる。尚、このトリミングする面積は、上記各２Ｌ版用写真窓孔４６、４７、４８の開口面積の和と写真枠部４８の開口部面積を調整することによって任意に設定できることになる。
【００２４】
表面部４１あるいは中間台紙４２の裏面であって、写真枠部５０を、表面部４１あるいは中間台紙４２の裏側に貼り付けしたことにより露出した縁部５１に両面接着テープ等の２Ｌ版用写真用紙８０を固定貼付する接着部材を設けることもできる（図示せず）。また、枠部台紙４３における写真枠部５０に、２Ｌ版用写真を落とし込みまたは嵌め合わせることで、２Ｌ版写真用紙とマットフレーム台紙４０がずれることなく貼り合わせることができる。従って作業者に熟練度を要求することなく、仮に一般需要者であっても２Ｌ版写真用紙とマットフレーム台紙４０をずれることなく貼り合わせることができる。また、横箋５６、５７の裏側部分に接着部材５８、５８を設けることができる。２Ｌ版用写真用紙をマットフレーム台紙４０にセットしてから、アルバム１０には貼着する際に２Ｌ版用写真用紙がマットフレーム台紙４０から外れる恐れがなく作業効率が高まるからである。
【００２５】
上記のように２Ｌ版用写真用紙８０とマットフレーム台紙４０をずれることなく貼り合わせることができ、それをアルバム１０に貼付することができる。貼付には接着部材４４を設けることができるので容易に固定することができる。また、横箋５６、５７の裏面側に接着部材５８を貼付することもできる。なお、この接着部材４４及び５８はいわゆる両面接着テープなどを使用するものである。また、２Ｌ版用写真用紙８０を写真枠部５０に落とし込んだ後に接着部材９０で固定することもできる。この接着部材９０として接着テープを使用することができる。また、写真を貼付したマットフレーム台紙４０を裏台紙（図示せず）あるいはアルバム１０に貼付・固定する際の接着部材４４を有しているので前記裏台紙等に貼付する際にも簡単に貼付することができる。
【図面の簡単な説明】
【００２６】
【図１】Ｌ版用マットフレーム台紙の正面図である。
【図２】Ｌ版用マットフレーム台紙の背面図である。
【図３】図１のＡ−Ａ線断面図である。
【図４】Ｌ版用マットフレーム台紙の背面状態図である。
【図５】２Ｌ版用マットフレーム台紙の正面図である。
【図６】２Ｌ版用マットフレーム台紙の背面図である。
【図７】図５のＢ−Ｂ線断面図である。
【図８】２Ｌ版用マットフレーム台紙の背面状態図である。
【図９】アルバムにマットフレーム台紙を貼付した図である。
【符号の説明】
【００２７】
１０    アルバム
２０    Ｌ版用マットフレーム台紙
２１    表面部
２２    中間台紙
２３    枠部台紙
４０    ２Ｌ版用マットフレーム台紙
４１    表面部
４２    中間台紙
４３    枠部台紙
７０    Ｌ版用写真用紙
８０    ２Ｌ版用写真用紙
【図１】
0003148805.tif 000003
【図２】
0003148805.tif 000004
【図３】
0003148805.tif 000005
【図４】
0003148805.tif 000006
【図５】
0003148805.tif 000007
【図６】
0003148805.tif 000008
【図７】
0003148805.tif 000009
【図８】
0003148805.tif 000010
【図９】
0003148805.tif 000011
【手続補正書】
【提出日】平成20年12月15日(2008.12.15)
【手続補正１】
【補正対象書類名】実用新案登録請求の範囲
【補正対象項目名】全文
【補正方法】変更
【補正の内容】
【実用新案登録請求の範囲】
【請求項１】
台紙に写真を露出させるための写真窓孔をあけたマットフレーム台紙において、そのマットフレーム台紙の表面部の裏側に写真用紙が収まる凹みを該写真窓孔周りに形成したことを特徴とするマットフレーム台紙。
【請求項２】
台紙に写真を露出させるための写真窓孔をあけたマットフレーム台紙において、前記凹みはマットフレーム台紙の表面部の裏側に貼り付けた枠部台紙における写真枠部と縁部によって構成されたことを特徴とする請求項１記載のマットフレーム台紙。
【請求項３】
台紙に写真を露出させるための写真窓孔をあけたマットフレーム台紙において、前記凹みはＬ判サイズあるいは２Ｌ判サイズの大きさに構成されたことを特徴とする請求項１または２記載のマットフレーム台紙。
【請求項４】
台紙の表面部と写真枠部の間に中間体設けたことを特徴とする請求項２又は３に記載するマットフレーム台紙。
【請求項５】
写真が浮かないための接着部材をマットフレーム台紙の裏側における適宜箇所に施したことを特徴とする請求項１〜４のいずれか１項に記載のマットフレーム台紙。
【請求項６】
裏台紙やアルバムに貼付・固定するための接着部材をマットフレーム台紙に施したことを特徴とする請求項１〜５のいずれか１項に記載のマットフレーム台紙。